(57)【要約】【課題】  双方向走査可能で反転出力する手段を別に設ける必要のない、液晶表示装置を実現する。【解決手段】  液晶と、該液晶を駆動する複数の画素電極と、該画素電極を駆動する信号を供給する出力回路と該出力回路を駆動する複数の走査信号を出力する走査回路とを同一基板上に有し、上記走査回路は走査方向を定める信号を入力することで第１の走査方向と第２の走査方向とに走査可能とする。【選択図】        図１
2005202422.tif 000002
【特許請求の範囲】
【請求項１】
液晶と、該液晶を駆動する複数の画素電極と、該画素電極に接続されたスイッチング素子と、該スイッチング素子を駆動する信号を供給する出力回路と、走査方向設定信号により双方向走査可能で前記出力回路に信号を出力する垂直走査回路と、出力回路の出力を制御する垂直走査制御回路とを有し、
前記垂直走査回路は第１の走査方向と第２の走査方向とに走査可能であり、
前記垂直走査回路は、複数個の双方向シフトレジスタ段の直列接続を備え、
前記双方向レジスタ段は、第１のラッチ回路と第２のラッチ回路とを備え、
前記第１のラッチ回路と第２のラッチ回路とは、走査方向を第１の走査方向と第２の走査方向とに設定するクロックドインバータを備え、
前記第１のラッチ回路は第１の出力端子を有し、該第１の出力端子から第１の出力を出力し、
前記第２のラッチ回路は第２の出力端子を有し、該第２の出力端子から第２の出力を出力し、
前記第１の出力の開始時期と前記第２の出力の開始時期との間隔を上記走査回路に入力するクロック信号のデューティ比を変えることで変更可能とし、
前記第１の出力と第２の出力とは、第１の制御信号と、第２の制御信号が入力する前記垂直走査制御回路で演算され、
第１の出力は第１の制御信号と演算され第１の演算出力として出力し、
第２の出力は第２の制御信号と演算され第２の演算出力として出力し、
前記垂直走査制御回路により前記第１の演算出力と第２の演算出力の出力期間が制御可能であることを特徴とする液晶表示装置。
【請求項２】
マトリクス状に形成された複数の画素と、該画素に設けられたスイッチング素子と、該スイッチング素子を駆動する信号を供給する出力回路と、走査方向設定信号により双方向走査可能で前記出力回路に信号を出力する垂直走査回路と、出力回路の出力を制御する垂直走査制御回路とを有し、
前記垂直走査回路は、複数個の双方向シフトレジスタ段の直列接続を備え、
前記双方向レジスタ段のそれぞれは、第１のラッチ回路と第２のラッチ回路とを備え、
前記第１のラッチ回路と第２のラッチ回路とは、走査方向を第１の走査方向と第２の走査方向とに設定するクロックドインバータを備え、
前記第１のラッチ回路は第１の出力端子を有し、該第１の出力端子から第１の出力を出力し、
前記第２のラッチ回路は第２の出力端子を有し、該第２の出力端子から第２の出力を出力し、
前記第１の出力と第２の出力との出力期間は一部重複しており
前記第１の出力と第２の出力は、それぞれ前記垂直走査制御回路に入力し、
前記第１の出力と第２の出力とは、第１の制御信号と、第２の制御信号が入力する前記垂直走査制御回路で演算され、
前記第１の出力と第１の制御信号とが演算された第１の演算出力と、
前記第２の出力と第２の制御信号とが演算された第２の演算出力との出力期間が重複してなく、
前記第１の演算出力と第２の演算出力とが前記出力回路に入力することを特徴とする液晶表示装置。
【発明の詳細な説明】
【技術分野】
【０００１】
この発明は、液晶ディスプレイ装置に関し、特にガラス基板又はシリコンチップ上にアクティブマトリックス構成の表示画素及びその駆動回路が形成されたものに利用して有効な技術に関するものである。
【背景技術】
【０００２】
テレビ受像機やパソコン等の情報機器のモニター、その他の各種表示装置用の表示デバイスとして液晶パネルが広く用いられている。
【０００３】
この種の液晶パネルは、一方の基板に画素選択用の給電電極もしくはスイッチング素子の給電電極となる駆動電極を形成し、他方の基板に共通電極を形成し、両電極側を対向させて貼り合わせ、この貼り合わせギャップに液晶層を挟持して構成される。
【０００４】
スイッチング素子のチャンネル層にアモルファスシリコン薄膜を用いる方式では、トランジスタの特性に限界があり、駆動回路の特性が十分ではないために外部に周辺駆動回路を外付としている。
【０００５】
対して、ポリシリコン膜を用いて薄膜トランジスタ（以下ＴＦＴと呼ぶ）を形成するとともに、同一ガラス基板上に駆動回路も形成したものが開発されている。ポリシリコン膜を用いたＴＦＴ素子は、画素数が１０万程度で表示エリアの対角長が０．７インチの製品が小型ビディオカメラのカラーファインダとして用いられている。
【０００６】
さらに、このポリシリコン膜を用いるＴＦＴディスプレイ装置において、プロジェクタのライトバルブとしての利用や、バーチャルリアリティを指向したヘッドマウント（眼鏡型）ディスプレイ用のパネルとしての用途も開発されている。
【０００７】
他に、透明基板に共通電極を形成し、シリコン基板に駆動電極を形成して、両者の貼り合わせギャップに高分子分散型の液晶層を挟持したポリマー分散型液晶（以下ＰＤＬＣと呼ぶ）や、シリコン基板に光を反射する目的をもたせた電極を形成して、該シリコン基板と透明基板とのギャップに液晶層を挟持した反射型液晶素子が開発されている。
【０００８】
上述したようにポリシリコン膜を用いたＴＦＴディスプレイ装置やＰＤＬＣや反射型液晶素子を用いた表示装置の利用方法において、赤、緑、青毎に画像を形成するディスプレイ装置を用いる３板方式の液晶プロジェクタの光学系がある。
【０００９】
図２５に３板方式の液晶プロジェクタ光学系の概略を示す。例えばショートアークのメタルハライドランプ等と放物面鏡からなる光源８５０からの光は、ダイクロックミラー８５１に到達する。ここでこのダイクロックミラー８５１は、特定波長域の光を反射または透過する働きを有し、青の光のみが９０度方向を変え反射され、他の光は透過される。透過した光は、ダイクロックミラー８５２に入射され、緑の光のみが反射され、透過光は赤となる。このように青、緑、赤の順に分光された各光は、専用の液晶パネル８５３、８５４、８５５に入射される。
各パネル８５３、８５４、８５５は、各色に対応した映像が再生されており、入射光は各色ごとに変調を受けた後、合成される。
【００１０】
ダイクロックミラー８５６では、緑の光が反射され、透過して来た青の光と合成され、ダイクロックミラー８５７で赤の光と合成される。合成された光は、投写レンズによりスクリーン上へ投影される。
【００１１】
上述したような光学系では、先ず青の透過光は、一度も反射されないために、液晶パネルのパターンがそのままの状態で合成され、投写レンズへ入射される。赤の透過光は、反射ミラー８５８とダイクロックミラー８５７で９０度の方向転換を二度行うため、青の透過光と同様に、液晶パネルのパターンがそのままの状態で合成されて投射レンズへ入射される。
【００１２】
更には、緑の透過光は、ダイクロックミラー８５６で９０度の方向転換を一度だけ行うため、上下又は左右が反転されて投射レンズへ入射される。そのため映像を一致させるために、緑の液晶パネル８５４は左右又は上下が反転した画像を表示することになる。なお、８５９は反射ミラーである。
【００１３】
一般に、緑の液晶パネル８５４においては、画像を左右又は上下反転するために、反転駆動回路を別に設けたり、緑の液晶パネル８５４を反転画像表示用に特別に赤、青の液晶パネル８５３、８５５とは逆方向に走査するよう作製したり、又は一旦画像データをメモリに格納し、画像が反転するよう読み出す等の方法を用いている。
【００１４】
つまり、３原色分離方式の液晶プロジェクタでは、１色だけ反転回数が奇数（または偶数）と異なり、通常の液晶パネルでは、左右又は上下反転した画像が出力される。そのため、一般に特別な構成を付加し反転した画像を出力するようにしている。
【００１５】
液晶表示装置の駆動回路にクロックドインバータを用いた双方向シフトレジスタを設けることが提案されている。下記「特許文献１」には、液晶表示装置にクロックドインバータを備えた双方向シフトレジスタを設けたものが開示されている。
【００１６】
また、下記「特許文献２」には、液晶表示装置にクロックドインバータを備えた双方向シフトレジスタの記載がある。
【００１７】
【特許文献１】特開平８-５５４９３号公報
【特許文献２】特開平７-１４６４６２号公報
【発明の開示】
【発明が解決しようとする課題】
【００１８】
液晶表示装置の駆動回路に双方向シフトレジスタを設けることにより、双方向から画素データの入力、走査信号の出力を可能として、左右又は上下反転した画像を出力することが可能とすることができるが、双方向シフトレジスタの回路規模が大きくなってしまうという問題が生じる。
【００１９】
そこで、双方向シフトレジスタを第１のラッチ回路と第２のラッチ回路により形成して、第１のラッチ回路からの第１の出力信号と、第２のラッチ回路からの第２の出力信号とを出力信号として用いることで、双方向シフトレジスタをコンパクトに形成することが考えられる。
【００２０】
しかしながら、第１のラッチ回路からの第１の出力信号と、第２のラッチ回路からの第２の出力信号とを出力信号として利用すると、第１の出力信号と第２の出力信号との出力期間とが重なり合ってしまう新たな問題が生じる。
【課題を解決するための手段】
【００２１】
本願において開示される発明のうち代表的なものの概要を簡単に説明すれば、下記の通りである。
【００２２】
本願発明は、液晶と、該液晶を駆動する複数の画素電極と、該画素電極を駆動する信号を供給する出力回路と、該出力回路を駆動する複数の走査信号を出力する走査回路とを同一基板上に有し、上記走査回路は第１の走査方向と第２の走査方向とに走査可能な双方向シフトレジスタを有し、該双方向シフトレジスタに第１のラッチ回路と第２のラッチ回路とを設け、第１のラッチ回路は第１の出力を出力し、第２のラッチ回路は第２の出力を出力し第１の出力の開始時期と第２の出力の開始時期との間隔を走査回路に入力するクロック信号のデューティ比を変えることで変更可能な液晶表示装置とする。
【００２３】
また、第１の出力と第２の出力とは、第１の制御信号と第２の制御信号とが入力する垂直走査制御回路で演算され、垂直走査制御回路により演算された第１の演算出力と第２の演算出力の出力期間の制御が可能な液晶表示装置とする。
【発明の効果】
【００２４】
本発明による液晶表示装置によれば、走査回路は第１の走査方向と第２の走査方向とに走査可能であり、隣り合う走査信号の位相を変え、出力期間を制御することが可能となる。
【００２５】
また、本発明による液晶表示装置によれば、双方向に走査することが可能となり、画像を反転出力することが容易になり、反転出力する手段を別に設ける必要もなくコンパクトな液晶表示装置となる。
【発明を実施するための最良の形態】
【００２６】
本発明の液晶表示装置は、液晶と、該液晶を駆動する複数の画素電極と、該画素電極を駆動する信号を供給する出力回路と、該出力回路を駆動する複数の走査信号を出力する走査回路とを同一基板上に有し、上記走査回路は第１の走査方向と第２の走査方向とに走査可能な双方向シフトレジスタを有し、該双方向シフトレジスタに第１のラッチ回路と第２のラッチ回路とを設け、第１のラッチ回路は第１の出力を出力し、第２のラッチ回路は第２の出力を出力し第１の出力の開始時期と第２の出力の開始時期との間隔を走査回路に入力するクロック信号のデューティ比を変えることで変更可能とし、第１の出力と第２の出力とは、第１の制御信号と第２の制御信号とが入力する垂直走査制御回路で演算され、垂直走査制御回路により演算された第１の演算出力と第２の演算出力の出力期間の制御が可能な液晶表示装置とする。
【００２７】
以下、本発明の実施例について、図面を参照して詳細に説明する。
【実施例１】
【００２８】
図１は本発明による液晶表示装置の１実施の形態を示す。図１は基板上に形成される各機能毎のブロックを示し、１０は画素領域を示す。画素領域１０には図１の垂直方向に延在し水平方向に複数本並列した映像信号線１１が設けられ、該映像信号線に略直交するように水平方向に延在し垂直方向に複数本並列する走査信号線１２が設けられている。映像信号線１１と走査信号線１２の交差する近傍にはスイッチング素子１３が設けられ、走査信号線１２と映像信号線１１によりスイッチング素子１３を操作することで、画素電極１４に映像信号を書き込む。画素電極１４に対向するように対向電極１５が設けられ、画素電極１４と対向電極１５間の電位差で液晶を駆動し画像を表示する。また画素電極１４には映像信号を画素電極に一定期間保持する目的で保持容量１６が設けられる。なお、図１では画素電極１４及び対向電極１５、保持容量１６は等価回路で示してある。また図を簡略化し解りやすくするために、画素部は１個の画素に関してのみ表示したが、画素領域には複数の画素がマトリックス状に配置されている。
一般に画像の書き込みは図１の左上から開始され、マトリックス状に配置されている画素の１行目を左側から右方向に映像信号が順次書き込まれ１行目が書き込まれる。図１の１実施形態では、横方向１０２５画素、縦方向７６９画素の例を示しており、１行目の１０２５画素が書き込まれると、再度２行目の左側から右方向に映像信号が画素電極１４に順次書き込まれる。以下同様に最後の７６９行まで書き込みがおこなわれ、画像が表示される。
【００２９】
このような液晶表示装置に、左右逆転した画像を表示するためには、マトリックス状に配置されている画素の右側から左方向に映像信号を書き込む必要がある。なお一旦ラッチ回路等に１行分のデータを格納し、その後１行分の映像信号をデータに従い出力する方式でも、ラッチ回路等には左側から右方向にデータが順次書き込まれることになる。
【００３０】
図２に水平シフトレジスタ部２０の回路構成を示す。ＨＳＲは双方向シフトレジスタであり、左右双方向に信号をシフトすることが可能である。図中左からＨＳＲ１、ＨＳＲ２、…ＨＳＲ５１３の順に設けられている。双方向シフトレジスタＨＳＲはクロックドインバータ６１、６２、６５、６６で構成されている、なお双方向シフトレジスタＨＳＲの詳細については後述する。映像信号供給回路２１は水平シフトレジスタ部２０からの出力信号を受けて、映像信号入力線２２（ＶＩＤ１〜ＶＩＤ４）から供給される映像信号を映像信号線１１に出力する。なお映像信号供給回路２１では、水平シフトレジスタ部２０からの出力信号の信号レベルを、映像信号を駆動する信号レベルに変換する、レベルシフトも行っている。
【００３１】
映像信号入力線２２（ＶＩＤ１〜ＶＩＤ４）に供給されている映像信号は、図１に示す信号切替回路２３により映像信号入力端子２４に入力された映像信号の順番を必要に応じて並べ替えたものである。図１、図２に示す１実施の形態では映像信号は、並列に４本の信号線で供給されており、例えば映像信号入力端子２４の左から順番に、水平に並ぶ画素の１番目、２番目…４番目と順番が対応している。そのため走査方向を切り替えた場合には、映像信号の順番を入れ替える必要があるが、信号切替回路２３により、映像信号入力線２２につなぐ映像信号の順番を入れ替えることで、外部での映像信号の順番を入れ替える必要をなくしている。なお、信号切替回路２３の詳細については後述する。
【００３２】
図１、図２において、２５は水平走査リセット信号入力端子である。リセット用トランジスタ２８を駆動することで双方向シフトレジスタＨＳＲをリセットする。２６は水平走査スタート信号入力端子で、クロックドインバータ６１により図１の左から右へ走査が行われるスタート信号が水平シフトレジスタ部２０に供給され、右から左へ走査が行われる場合には、クロックドインバータ６２によりスタート信号が水平シフトレジスタ部２０に供給される。２７は水平走査終了信号出力端子である。
【００３３】
図２において、ＲＬは水平走査方向設定信号線で、ＲＬ１は第１水平方向設定線、ＲＬ２は第２水平方向設定線であり、双方向シフトレジスタの走査方向を規定する信号である。第１水平方向設定線ＲＬ１は水平走査方向設定信号線ＲＬからインバータで２回反転した信号を取り出しており、第２水平方向設定線ＲＬ２は水平走査方向設定信号線ＲＬからインバータで１回反転した信号を取り出している。そのため第１水平方向設定線ＲＬ１と第２水平方向設定線ＲＬ２とは一方が他方を反転した信号となる。またＨＣＬＫは水平クロック信号線であり、ＨＣＬＫ１は第１水平クロック信号線、ＨＣＬＫ２は第２水平クロック信号線である。
【００３４】
図３に垂直シフトレジスタ部３０の回路構成を示す。垂直シフトレジスタ部３０も水平シフトレジスタ部２０と同じように双方向に信号をシフトすることが可能であり、上下逆転した画像を表示する場合には、下側から上方向に走査信号が出力する。ＶＳＲは双方向シフトレジスタで、３２は垂直出力回路で、３３は垂直走査制御回路である。垂直走査制御回路３３は制御信号入力端子ＣＮＴ１、ＣＮＴ２からの制御信号により垂直走査を制御する。３６は垂直走査リセット端子、３７は垂直走査スタート信号入力端子、３８は垂直走査終了信号出力端子である。双方向シフトレジスタＶＳＲはクロックドインバータ６３、６４、６５、６６で構成されている。
【００３５】
ＵＤは垂直走査方向設定線で、ＵＤ１は第１垂直方向設定線で、ＵＤ２は第２垂直方向設定線である。図３では、第１垂直方向設定線ＵＤ１は垂直走査方向設定線ＵＤからインバータで２回反転した信号を取り出しており、第２垂直方向設定線ＵＤ２は垂直走査方向設定線ＵＤからインバータで１回反転した信号を取り出している。このため第１垂直方向設定線ＵＤ１と第２垂直方向設定線ＵＤ２とは一方が他方を反転した信号となる。またＶＣＬＫは垂直クロック信号線であり、ＶＣＬＫ１は第１垂直クロック信号線、ＶＣＬＫ２は第２垂直クロック信号線である。
【００３６】
図４に水平シフトレジスタ部２０及び、垂直シフトレジスタ部３０を構成する双方向シフトレジスタＨＳＲ及びＶＳＲを説明する回路構成図を示す。また図５は水平シフトレジスタ部２０及び、垂直シフトレジスタ部３０に用いられるクロックドインバータ６１、６２、６３、６４、６５、６６を説明する回路図である。
【００３７】
まず図５（ａ）（ｂ）を用いて、図４（ａ）に示す双方向シフトレジスタＨＳＲに用いられるクロックドインバータ６１、６２を説明する。
【００３８】
第１水平方向設定線ＲＬ１は、図２では左から右に走査する場合Ｈレベルで、第２水平方向設定線ＲＬ２は、図２では右から左に走査する場合Ｈレベルである。図１、図２では図を見やすくするために結線を省略してあるが、第１水平方向設定線ＲＬ１、第２水平方向設定線ＲＬ２は共に双方向シフトレジスタＨＳＲを構成するクロックドインバータ６１、６２に接続されている。
【００３９】
クロックドインバータ６１は図５（ａ）に示すように、Ｐ型トランジスタ７１、７２とＮ型トランジスタ７３、７４からなる。Ｐ型トランジスタ７１は第２水平方向設定線ＲＬ２に接続されており、Ｎ型トランジスタ７４は第１水平方向設定線ＲＬ１に接続されている。そのため第１水平方向設定線ＲＬ１がＨレベルで第２水平方向設定線ＲＬ２がＬレベルの場合、クロックドインバータ６１はインバータとして働き、第２水平方向設定線ＲＬ２がＨレベルで第１水平方向設定線ＲＬ１がＬレベルの場合ハイインピーダンスとなる。
【００４０】
逆にクロックドインバータ６２は図５（ｂ）に示すように、Ｐ型トランジスタ７１が第１水平方向設定線ＲＬ１に接続されており、Ｎ型トランジスタ７４は第２水平方向設定線ＲＬ２に接続されている。そのため第２水平方向設定線ＲＬ２がＨレベルの場合インバータとして働き、第１水平方向設定線ＲＬ１がＨレベルの場合ハイインピーダンスとなる。なお双方向シフトレジスタＨＳＲの動作については、次に双方向シフトレジスタＶＳＲの動作について説明することで省略する。
【００４１】
次に、図５（ｃ）（ｄ）を用いて図４（ｂ）（ｃ）（ｄ）に示す双方向シフトレジスタＶＳＲに用いられているクロックドインバータ６３、６４を説明し、さらに走査方向を定める垂直走査方向設定線ＵＤの値により、走査方向が切り替わる双方向シフトレジスタＶＳＲの動作について説明する。
【００４２】
第１垂直方向設定線ＵＤ１は図３では上から下に走査する場合にＨレベルで、第２垂直方向設定線ＵＤ２は下から上に走査する場合にＨレベルである。図１、図３では図を見やすくするために結線を省略してあるが、第１垂直方向設定線ＵＤ１、第２垂直方向設定線ＵＤ２は共に双方向シフトレジスタＶＳＲを構成するクロックドインバータ６３、６４に接続されている。
【００４３】
クロックドインバータ６３は図５（ｃ）に示すようにＰ型トランジスタ７１、７２、Ｎ型トランジスタ７３、７４からなる。
【００４４】
Ｎ型トランジスタ７４の入力に第１垂直方向設定線ＵＤ１が接続され、Ｐ型トランジスタ７１の入力に第２垂直方向設定線ＵＤ２が接続される。また図５（ｄ）に示すように、クロックドインバータ６４のＮ型トランジスタ７４の入力に第２垂直方向設定線ＵＤ２が接続され、Ｐ型トランジスタ７１の入力に第１垂直方向設定線ＵＤ１が接続されている。そのため、クロックドインバータ６３は、第１垂直方向設定線ＵＤ１がＨレベルで第２垂直方向設定線ＵＤ２がＬレベルの場合インバータとして働き、第２垂直方向設定線ＵＤ２がＨレベルで第１垂直方向設定線ＵＤ１がＬレベルの場合はハイインピーダンスとなる。クロックドインバータ６４は第１および第２垂直方向設定線ＵＤ１、ＵＤ２のレベルに対して、クロックドインバータ６３と逆の動作をする。
【００４５】
図４（ｂ）に示す、双方向シフトレジスタＶＳＲでは第１垂直方向設定線ＵＤ１がＨレベルで、クロックドインバータ６３がインバータ６３ａとして働き、クロックドインバータ６４がハイインピーダンスとなるために図４（ｃ）のような等価回路となり、第２垂直方向設定ＵＤ２がＨレベルの場合、クロックドインバータ６４がインバータ６４ａとして働き、クロックドインバータ６３がハイインピーダンスとなるため、図４（ｄ）に示す等価回路となる。このように、双方向シフトレジスタＶＳＲでは第１垂直方向設定線ＵＤ１と第２垂直方向設定ＵＤ２の値によりシフトレジスタの走査方向を定めることができる。
また同じように双方向シフトレジスタＨＳＲでも、第１水平方向設定線ＲＬ１と第２水平方向設定ＲＬ２の値によりシフトレジスタの走査方向を定めることができる。
【００４６】
次に図４（ｃ）を用いて、シフトレジスタの動作を説明する。クロックドインバータ６５は図５（ｅ）に示す回路構成であり、表１に示すように、クロックΦがＨレベルで、クロックΦバーがＬレベルの場合に、入力を反転出力し、クロックΦがＬレベルで、クロックΦバーがＨレベルの場合に、ハイインピーダンスとなる。
また、クロックドインバータ６６は、図５（ｆ）に示す回路構成であり、クロックΦバーがＨレベルで、クロックΦがＬレベルの場合に、入力を反転出力し、クロックΦバーがＬレベルで、クロックΦがＨレベルの場合に、ハイインピーダンスとなる。
【００４７】
【表１】
2005202422.tif 000003
【００４８】
図２、図３共にクロック信号線の結線を省略してあるが図２のクロックドインバータ６５、６６にはクロック信号線ＨＣＬＫ１、ＨＣＬＫ２が、図３のクロックドインバータ６５、６６には、クロック信号線ＶＣＬＫ１、ＶＣＬＫ２が接続されている。以下の説明では、任意のクロックΦ、Φバーを用いて説明する。
【００４９】
図４（ｃ）に示すラッチ回路６７は、クロックドインバータ６５の出力をインバータ６３ａの入力に接続し、このインバータ６３ａの出力をクロックドインバータ６６の入力に接続している。このためクロック信号ΦのＨレベル立ち上がり時にクロックドインバータ６５に入力された信号が反転しインバータ６３ａに入力される。次にクロック信号ΦバーがＨレベルとなると、クロックドインバータ６５はハイインピーダンスとなるがクロックドインバータ６６がインバータとして働き、クロックドインバータ６５の出力は、インバータ６３ａとクロックドインバータ６６でラッチされ、インバータ６３ａから反転信号が出力する。
【００５０】
またラッチ回路６８は、クロックドインバータ６６の出力がインバータ６３ａの入力に接続され、このインバータ６３ａの出力はクロックドインバータ６５の入力に接続されている。このためクロック信号ΦバーのＨレベルの立ち上がり時（すなわちクロック信号Φの立ち下がり時）にクロックドインバータ６６に入力された信号が反転しインバータ６３ａに入力される。次にクロック信号ΦがＨレベルとなると、クロックドインバータ６６はハイインピーダンスとなるがクロックドインバータ６５がインバータとして働き、クロックドインバータ６６の出力は、インバータ６３ａとクロックドインバータ６５でラッチされ、インバータ６３ａから反転信号が出力する。
【００５１】
図６に図４（ｃ）に示すラッチ回路６７、６８のタイミングチャートの１例を示す。図６では、クロック信号Φの立ち上がり（イ）に対して、入力信号ＤＩの同期がとれてなく、クロック信号Φの立ち上がり（イ）に遅れて入力信号ＤＩはＨレベルとなっている。また入力信号ＤＩはクロック信号Φの立ち上がり（ハ）に遅れてＬレベルとなっている。
【００５２】
このためラッチ回路６７はクロック信号ΦがＨレベルの場合、入力をそのまま出力し、クロック信号ΦがＬレベルとなった時、直前の状態を保持するので、出力ＯＵＴ１は入力信号ＤＩと同じタイミングで状態が変化する。対して２段目のラッチ回路６６では、クロック信号Φの立ち下がり（ロ）で出力ＯＵＴ１のＨレベルを出力し、クロック信号Φの立ち上り（ハ）で、その出力をラッチしそれをクロック信号Φの立ち下り（ニ）まで保持し、クロック信号Φの立ち下がり（ニ）で出力ＯＵＴ１のＬレベルを出力するため、出力ＯＵＴ２から以降は、クロック信号Φと同期がとれた出力となっている。
【００５３】
このように、双方向シフトレジスタＨＳＲ、ＶＳＲの１段目の出力は２段目以降の出力とは異なり、クロック信号と同期がとれないために、双方向シフトレジスタＨＳＲ１、ＨＳＲ５１３、ＶＳＲ１、ＶＳＲ３８６の初段部分はダミーのラッチ回路としており、その出力が映像信号供給回路２１および、垂直出力回路３２に接続されていない。
図２、図３に示すように、双方向シフトレジスタＨＳＲ、ＶＳＲは複数連続して設けられている。図４（ｃ）、図４（ｄ）では、前段のラッチ回路６７の出力をＯＵＴ１で示し、後段のラッチ回路６８の出力をＯＵＴ２で示したが、双方向シフトレジスタＨＳＲ、ＶＳＲは複数連続して設けられるので、ラッチ回路６８の次段には、ラッチ回路６７が接続される。図６に示すＯＵＴ３は、次段のラッチ回路６７の出力を示している。
【００５４】
出力ＯＵＴ２、ＯＵＴ３と映像信号との関係を図６を用いて説明する。ＯＵＴ２、ＯＵＴ３は前述したように、図４（ｃ）に示すようなラッチ回路６７、６８の出力である。図６に示すように、ラッチ回路６８がクロック信号Φの立ち下がり（ロ）で前段の出力をＯＵＴ２に出力し、クロック信号Φの立ち上り（ハ）でその出力をラッチし、クロック信号Φの立ち下がり（ニ）まで値を保持し、次に図４では図示されない次段のラッチ回路６７がクロック信号Φの立ち上がり（ハ）で前段の出力をＯＵＴ３に出力する。そのために、クロック信号Φの立ち上がり（ハ）では、ＯＵＴ２、ＯＵＴ３共に出力オン状態となる。このときに映像信号線が単数の場合では、双方向シフトレジスタＨＳＲの出力ＯＵＴ２、ＯＵＴ３に対応する画素に同じ映像信号が書き込まれるという問題点がある。すなわち，ＯＵＴ２からの出力で操作される映像信号供給回路と、ＯＵＴ３からの出力で操作される映像信号供給回路とが、同時に同じ映像信号線に接続されると、２つの画素に同じ映像信号が入力されることになる。ラッチ回路６７とラッチ回路６８の出力のどちらか一方のみを映像信号供給回路２１を操作する信号として用いれば、前述のような問題は生じないが、シフトレジスタを構成するラッチ回路の数は２倍になる。このため、本実施の形態では図２に示すように、映像信号２２もＶＩＤ１〜ＶＩＤ４のように複数に分割されて供給されており前記問題点も解決される。
【００５５】
また、本実施の形態では水平方向の画素数は１０２５画素で、垂直方向の画素数は７６９画素で奇数である。しかしながら、双方向シフトレジスタＨＳＲ、ＶＳＲは、ラッチ回路６７とラッチ回路６８とを一組とするように設けられており、ラッチ回路６７とラッチ回路６８の合計が偶数となるように構成されている。
【００５６】
このことは、走査方向が反転した場合もクロック信号Φの同じエッジ（立ち上がり又は、立ち下がり）で入力信号ＤＩを取り込むためである。すなわち、図４（ｃ）に示すラッチ回路６７と６８の場合、走査方向が反転するとラッチ回路６７と６８の順番も逆転し、図４（ｄ）に示すように、右からラッチ回路６８、６７の順番になる。しかしながら、このラッチ回路の順番を、信号の入力側を基準としてみると走査方向を反転してもラッチ回路６７と６８の順番は変化しない。ラッチ回路６７はクロック信号Φの立ち上がりで入力を出力しクロック信号Φの立ち上りでその出力を保持し、ラッチ回路６８はクロック信号Φの立ち下がりで入力を出力し、クロック信号Φの立ち上りでその出力を保持する。このためラッチ回路６７、６８の合計を奇数とすると、走査方向を切り換えたときの入力信号ＤＩを取り込むときのクロックΦのエッジが異なってしまう。
【００５７】
さらに、ラッチ回路６７、６８の合計が奇数の場合の問題点について、図３を例に示すと、図３の走査方向が上から下の場合では、初段はラッチ回路６７となり、クロックΦの立ち上がりで走査が開始される。対して走査方向が下から上の場合では、ラッチ回路６８が初段となり、クロックΦの立ち下がりで走査か開始される。このため３板方式の液晶プロジェクタ等、同時に逆方向に走査する液晶パネルを表示する場合など、クロックΦと映像信号のタイミングを調整する必要等の問題が生じる。
【００５８】
上述したような問題点をも解決するため、図２、図３の水平シフトレジスタ部２０、垂直シフトレジスタ部３０では、双方向シフトレジスタＨＳＲ１、ＨＳＲ５１３、ＶＳＲ１、ＶＳＲ３８５の１段目をダミーのラッチ回路として、ラッチ回路６７、６８の合計を偶数としている。
【００５９】
なお、双方向シフトレジスタの説明を、入力側からラッチ回路６７、６８の順番に並ぶ場合を用いて説明したが、図４（ａ）のような、ラッチ回路の並ぶ順番がラッチ回路６８、６７となる場合でも同等の動作となる。またクロック信号Φは任意の信号として説明したが、水平方向走査に用いる双方向シフトレジスタＨＳＲに用いられるクロック信号と、垂直方向走査に用いる双方向シフトレジスタＶＳＲに用いられるクロック信号とでは、その周期、デューティ比等が異なってもかまわず、液晶パネルの画素数等に従ったクロック信号が用いられる。
【００６０】
次に双方向シフトレジスタのリセット回路について説明する。図２の水平シフトレジスタ部２０では、リセット用トランジスタ２８が設けられており、インバータ６１、６２の入力をＨレベルにすることで、クロック信号の状態にかかわらず、各双方向シフトレジスタＨＳＲの出力をＬレベルにでき、映像信号供給回路２１の出力を強制的に停止できるようになっている。このため電源投入時の双方向シフトレジスタＨＳＲの状態を一定に保つことができるので、双方向シフトレジスタＨＳＲの電源電流を過渡的にも小さくすることができる。このためシフトレジスタの電源ラインの線幅を狭くすることができる。また垂直シフトレジスタ部３０にも同じくリセット回路を設けてあり、各シフトレジスタの出力をＬレベルとすることができ、映像信号供給回路２１、出力回路３２及び画素領域のスイッチング素子をオフ状態にできるので、液晶に直流電圧が印加されることを防ぐことができる。
【００６１】
また液晶パネルの画素数よりも少ない画素数の規格の画像を出力する場合、例えば、ＸＧＡパネルにＶＧＡの映像を表示する場合、ＶＧＡの水平走査が終了した時点で水平シフトレジスタ部２０を、また垂直走査が終了した時点で垂直シフトレジスタ部３０をリセットすることで、残りの画素領域に２重に表示されることが防止できる。
なお、双方向シフトレジスタＨＳＲ、ＶＳＲの出力をＬレベルとするようにリセット用トランジスタ２８はＰ型トランジスタを用いたが、映像信号供給回路２１、３２をオフ状態とするために、リセット用トランジスタ２８にＮ型トランジスタを用いることも可能である。
【００６２】
次に、図７から図１３を用いて本実施の形態の水平シフトレジスタ部２０による水平信号供給回路２１の駆動方法を示す。まず図７から図９を用いて映像信号をあらかじめ外部でサンプリングして複数の系列に分割した場合の駆動方法について説明する。図１、図２に示すように映像信号は４本の映像信号入力線２２（ＶＩＤ１〜ＶＩＤ４）で供給されているが、これにより画素に映像信号を書き込む時間を長くすることが可能である。すなわち外部回路において映像信号をクロック信号Φの周期に合わせてサンプリングし、図７に示す映像信号Ｖ１乃至Ｖ４のように、映像信号に対応した電圧を一定期間、映像信号入力線に供給する。その際サンプリングする順番に従って、映像信号入力線ＶＩＤ１には映像信号Ｖ１が供給され、映像信号入力線ＶＩＤ２には映像信号Ｖ２が、以下、映像信号Ｖ３、映像信号Ｖ４とサンプリングした一定電圧の信号が供給される。このように映像信号入力線２２を複数設けることで映像信号の出力期間を重複させ、映像信号が供給されている期間を延ばすことが可能である。
上述したように、サンプリングした映像信号を複数の系列に分割し、映像信号の周波数を低減した場合、シフトレジスタは映像信号の出力期間に合わせて、オン状態の期間を長くするよう駆動される。
【００６３】
図７では図４（ａ）の双方向シフトレジスタＨＳＲの駆動方法を、映像信号がクロック信号Φの２周期分にあたる期間あたえられる場合の例を示しており、入力信号ＤＩがクロック信号Φの立ち上がりａ−１からａ−４までＨレベルとなるように入力されている、そのため出力ＯＵＴ１がクロック信号Φの立ち上がりａ−１からａ−４までＨレベルであることから、出力ＯＵＴ１の状態をクロック信号Φの立ち上がりで出力し保持する出力ＯＵＴ２は、クロック信号Φの２周期分にあたる立ち上がりａ−１からａ−５までＨレベルとなる。同じく出力ＯＵＴ３以降もクロック信号Φの２周期分の間Ｈレベルを出力する。
【００６４】
上記駆動方法とすることで、映像信号がクロック信号Φの複数周期分にあたる期間あたえられる場合でも、映像信号の期間に合わせてシフトレジスタの出力期間を長くすることが可能である。
【００６５】
図７では図が複雑となることを避けるために、映像信号Ｖ１と映像信号Ｖ２に対応する出力ＯＵＴ２、出力ＯＵＴ３についてのみ記載しているが、同様に映像信号を画素に書き込むために、双方向シフトレジスタＨＳＲから画素数に応じて駆動信号が出力される。また、画素数が増加する等により画素毎の書き込み時間が短くなった場合には、映像信号入力線の本数をさらに増加してもよい。
【００６６】
次に映像信号を分割した場合について、映像信号の位相が揃っている場合（図８）と、揃っていない場合（図９）について説明する。なお図８から図１０では、説明をわかりやすくするために、１行１３列の画素ｐ１〜ｐ１３にスイッチｓ１乃至ｓ１３を用いて、映像信号Ｖ１乃至Ｖ４を書き込む場合について記載してある。映像信号はサンプリングされ、４本の映像信号線にＶ１、Ｖ２、Ｖ３、Ｖ４の順番で分割されている。図中、映像信号Ｖ１乃至Ｖ４の信号波形に付された符号は書き込まれる画素との対応を示している。
【００６７】
図８では画素の書き込み時間はクロック信号４周期分まで延ばされており、さらに映像信号Ｖ１乃至Ｖ４の位相が揃うように再度サンプリングしている。この場合、スイッチｓ１乃至ｓ４を同時にオンとして画素ｐ１〜ｐ４に書き込んでも、映像信号Ｖ１乃至Ｖ４の位相が揃っているので、正常に書き込みが行われる。よって、スイッチｓ１からｓ４までを駆動する信号を出力するシフトレジスタは共通とすることができ、シフトレジスタの段数を少なくすることができる。またスイッチｓ５からｓ８を駆動する信号はスイッチｓ１からｓ４までを駆動する信号の立ち下がるのを受けて、立ち上ればよくクロック信号の１周期を映像信号の立ち上りから立ち下がりまでの間に合わせてシフトレジスタを駆動すればよく、図７を用いて前述したように、クロック信号の複数の周期分出力が可能なシフトレジスタを用いる必要はない。
【００６８】
次に図９に、映像信号Ｖ１乃至Ｖ４の位相が揃っていない場合を示す。この場合サンプリングが１度ですみ外部の回路は簡単で済むが、映像信号Ｖ１乃至Ｖ４の位相が揃っていないので、映像信号を画素に書き込むスイッチｓ１乃至ｓ１３を駆動する信号も画素数分必要である。このためシフトレジスタも画素数分段数が必要であり図８の場合に比べてシフトレジスタの段数が増加する。さらに、映像信号の出力期間に合わせて駆動するためには、図７に示すようにシフトレジスタの出力期間を延ばすことが必要である。
【００６９】
次に、走査方向を反転した場合の映像信号の並び替えについて説明する。図１０は図９の映像信号線の並びで、スイッチｓ１３から順にｓ１までをオン状態にして、画素ｐ１３からｐ１に映像信号を書き込んだ場合を示す。まず映像信号Ｖ１に１番目の映像信号が供給され、スイッチｓ１３がオンとなり図中左端の画素に１番目の映像信号が書き込まれる。次に、映像信号Ｖ２に２番目の映像信号が供給され、スイッチｓ１２がオン状態となるが、スイッチｓ１２は映像信号Ｖ４とつながっているため、映像信号は画素に書き込まれず、スイッチｓ１２がオン状態のままで、映像信号Ｖ４に４番目の映像信号が供給されて、左から２番目の画素ｐ１２には４番目の映像信号が書き込まれる。さらにｐ１１には３番目の映像信号が書き込まれ、ｐ１０には２番目と６番目の映像信号が書き込まれる。このように反転走査に対応して映像信号を並べ換えないと、映像信号の並びが元の画像の並びと異なってしまうといった問題点がある。
【００７０】
図１１に信号切替え回路の一例を示す。図１１に示す例では、4本の映像信号入力端子２４ａ、２４ｂ、２４ｃ、２４ｄにそれぞれ時系列に映像信号が入力される。信号切替え回路２３は、４本の映像信号入力端子のうち、左から２番目と４番目の端子２４ｂと、２４ｄに入力される映像信号を入れ替える作用をする。図に１１おいて、切替えの必要がない左から１番目と３番目の端子２４ａ、２４ｃについても、端子２４ｂ、２４ｄと同様の回路を設けているが、切替え動作は行わない。これは、２番目と４番目の端子２４ｂ、２４ｄに入力される映像信号に対して位相や振幅に差を生じさせないためである。
【００７１】
図１２に図２に示す水平シフトレジスタ部２０からの信号により、映像信号供給回路２１が映像信号線に映像信号を供給するようすを説明する概略回路図と図１３にタイミングチャートを示す。図１２では、図をわかりやすくするために、映像信号供給回路２１はスイッチで表示し、水平シフトレジスタ部２０の詳細は省略してあるが、図２で示す映像信号供給回路２１と水平シフトレジスタ部２０と同じものである。また、図１の画素領域１０中の１行分の画素Ｐ１乃至Ｐ１０２５を模式的に記載してあり、図１の映像信号線１１を各画素に対応するようＬ１乃至Ｌ１０２５で示している。
【００７２】
映像信号Ｖ１乃至Ｖ４は信号切替え回路２３で映像信号入力線２２（ＶＩＤ１〜ＶＩＤ４）が選ばれ、それぞれが図１３に示すようなタイミングで映像信号入力線に供給される。水平シフトレジスタ部２０からは図１２中左から右の順番に画素に映像信号が書き込まれる場合には（順方向走査）、出力Ｈ１乃至Ｈ１０２５が映像信号に対して図１３（ａ）に示すタイミングで出力される。図１３（ａ）では図をわかりやすくするため、出力Ｈ１乃至Ｈ５までしか記載していないが、同様に出力Ｈ１０２５まで出力は続き、１行分の画素の書き込みが行われる。なお図１３（ａ）は順方向走査を、図１３（ｂ）は逆方向走査の場合を示し、図中各映像信号Ｖ１乃至Ｖ４の信号波形に付されているＰ１乃至Ｐ１０２５の符号は、図１２に示す画素Ｐ１乃至Ｐ１０２５に書き込まれる映像信号であることを示す。
【００７３】
水平シフトレジスタ部２０から出力Ｈ１が出力されると、映像信号入力線ＶＩＤ１と映像信号線Ｌ１（１１）が電気的に接続され、映像信号入力線ＶＩＤ１に出力されていた映像信号Ｖ１が映像信号線Ｌ１を介して画素Ｐ１に供給される。以下同様に、映像信号入力線ＶＩＤ１に出力されていた映像信号Ｖ１が映像信号線Ｌ１０２５を介して画素Ｐ１０２５に書き込まれるまで続き、１行分の画素の書き込みが行われる。
【００７４】
図１３（ｂ）に示す逆方向走査では、まず映像信号入力線ＶＩＤ２に映像信号Ｖ４が出力され、映像信号入力線ＶＩＤ４に映像信号Ｖ２が出力されるように信号切替え回路２３を用いて映像信号の並びが切替えられている。
【００７５】
逆方向走査では、水平シフトレジスタ部２０から出力Ｈ１０２５が最初に出力されると、画素Ｐ１０２５に映像信号Ｖ１が書き込まれる。つぎに出力Ｈ１０２４が出力されると、映像信号入力線ＶＩＤ４に供給されている映像信号が画素Ｐ１０２４に供給されるが、この時信号切替え回路２３で映像信号入力線ＶＩＤ４には、映像信号Ｖ２が出力されるので、２番目にサンプリングされた映像信号が画素Ｐ１０２４に書き込まれることとなる。以下同様に順次１行分の画素に映像信号が書き込まれる。
【００７６】
以上説明したように水平シフトレジスタ部２０により映像信号供給回路２１が駆動され、画素に映像信号が書き込まれる。
【００７７】
次に図１４から図２０を用いて垂直シフトレジスタ３０により走査信号を駆動する方法を説明する。
【００７８】
図１４に図４（ｂ）の双方向シフトレジスタＶＳＲでクロック信号Φのデューティ比を変更した場合のタイミングチャートの１例を示す。図１４では、クロック信号Φの立ち下がりｂ−１に対応して、出力ＯＵＴ２がＨレベルとなっている。次にクロック信号Φの立ち上がりｂ−２に対応して出力ＯＵＴ３がＨレベルとなる。このときクロック信号Φのデューティ比はＨレベルの期間が長く、Ｌレベルの期間が短く設定されており、それに伴い出力ＯＵＴ２の立ち上がりから、出力ＯＵＴ３の立ち上がりまでの期間が短くなっている。
【００７９】
さらにクロック信号Φの立ち下がりｂ−３に対応して出力ＯＵＴ４がＨレベルとなり、クロック信号Φの立ち上がりｂ−４に対応して出力ＯＵＴ５がＨレベルとなる、このときクロック信号Φのデューティ比はＨレベルの期間が長く、Ｌレベルの期間が短いため、出力ＯＵＴ３の立ち上がりから、出力ＯＵＴ４の立ち上がりまでの期間が長く、出力ＯＵＴ３の立ち上がりから、出力ＯＵＴ５４立ち上がりまでの期間が長くなっている。
【００８０】
このようにクロック信号Φのデューティ比を変更することで、あたかも各出力ＯＵＴ１、出力ＯＵＴ２、… の位相がずれたように駆動することが可能である。
【００８１】
図１５、図１６は順次走査駆動する場合の駆動タイミングを示すタイミングチャートで、図１５は図３の上から下に向かって走査する順方向走査を示している。そのため、第１垂直方向設定線にはＨレベルが入力されている。映像信号はビデオ信号等の各画素毎に書き込まれる階調等の１ライン分の信号を表している、また１Ｈは１ライン分の水平走査期間を表している。図４に示すラッチ回路６７はクロックＶＣＬＫ１の立ち上がりエッジで入力信号を出力し保持する、ラッチ回路６８はクロックＶＣＬＫ１の立ち下がりで入力信号を出力し保持する。このため、クロックＶＣＬＫ１のデューティを変化させることで奇数ラインと偶数ラインの画素に対応するシフトレジスタからの出力の位相を変化させることが可能である。
【００８２】
クロックＶＣＬＫ１のデューティ比をＬレベルの期間が、映像信号のブランク期間以内程度となるように調節する。そのために、双方向シフトレジスタＶＳＲ１の出力ＧＳ１は入力信号（走査スタート信号）ＶＤＩを図１５のように入力すると、クロックＶＣＬＫ１の立ち下がりで入力を出力してＨレベルとなり次のクロックＶＣＬＫ１の立ち下がりまで値を保持する。ただし、図６を用いて前述したように、双方向シフトレジスタＶＳＲ１の初段にはダミーのラッチ回路が設けられている。双方向シフトレジスタＶＳＲ２の出力ＧＳ２はクロックＶＣＬＫ１の立ち上がりで、出力ＧＳ１のＨレベルを取り込み、次のクロックＶＣＬＫ１の立ち上がりまで値を保持する。
【００８３】
この出力ＧＳ１と出力ＧＳ２との位相差は、クロックＶＣＬＫ１のＬレベルの期間とほぼ等しい期間となる。このとき垂直走査制御端子ＣＮＴ１と、ＣＮＴ２とは図１５に示すように与えられており、出力ＧＳ１は垂直走査制御端子ＣＮＴ１と垂直走査制御部３３のＮＡＮＤ回路で演算され出力回路３２に出力され、出力回路３２の出力Ｇ１として出力され、出力ＧＳ２は垂直走査制御端子ＣＮＴ２と垂直走査制御部３３で演算され、出力回路３２の出力Ｇ２として出力される。
【００８４】
図１５に示す駆動方法では、垂直走査制御端子ＣＮＴ１とＣＮＴ２を用いる場合を説明したが、垂直走査制御端子ＣＮＴ１とＣＮＴ２にＨレベルを出力し、垂直クロック信号ＶＣＬＫのデューティ比を５０％で駆動しても同じ結果を得ることができる。
【００８５】
次に図１６に、図３の下から上に向かって走査する逆方向の順次走査のタイミングチャートを示す。逆方向のため、第１垂直方向設定線はＬレベルが入力される。図１６の場合は、基本的な動作は図１５と同じであるが、出力Ｇ７６９から逆にＧ１に向かい順番に出力され、最後に走査終了信号ＶＤＯが端子３８に出力される。
【００８６】
図１７は走査信号線の２ｎ−１ラインと２ｎラインとの同時駆動の場合のタイミングチャートを示す。ただし、ここでｎは整数を示す。垂直走査制御端子ＣＮＴ１とＣＮＴ２とを同相で与えることで、出力回路３２からの出力Ｇ１とＧ２とを同時に出力することができる。
【００８７】
また図１８に走査信号線の２ラインと２ｎ＋１ラインとの同時駆動の場合のタイミングチャートを示す。クロックＶＣＬＫ１は反転しており、Ｈレベルの期間が映像信号のブランク期間とほぼ同等の期間となっている。双方向シフトレジスタＶＳＲ１はクロックＶＣＬＫ１の立ち下がりで、ダミーのラッチ回路の出力のＨレベルを取り込み、出力ＧＳ１にＨレベルを出力し次のクロックＶＣＬＫ１の立ち下がりまで値を保持する。双方向シフトレジスタＶＳＲ２の１段目のラッチ回路６７は出力ＧＳ１のＨレベルをクロックＶＣＬＫ１の立ち上がりで取り込み出力ＧＳ２に出力し次のクロックＶＣＬＫの立ち上がりまで保持する。次に、垂直シフトレジスタＶＳＲ２の２段目のラッチ回路６６は出力ＧＳ２のＨレベルをクロックＶＣＬＫ１の立ち下がりで取り込み出力ＧＳ２に出力し次のクロックＶＣＬＫ１の立ち上がりまで保持する。出力ＧＳ１とＧＳ２との位相差はクロックＶＣＬＫ１のＬレベルの期間とほぼ等しい期間となっており、ほぼクロックＶＣＬＫ１の１周期に近い期間となり、出力ＧＳ２とＧＳ３との位相差はクロックＶＣＬＫ１のＨレベルの期間とほぼ等しい期間となっている。そのため、出力ＧＳ２とＧＳ３との位相差は短くなっており、出力ＧＳ２とＧＳ３とは、ほぼ同相で出力される。さらに出力ＧＳ２とＧＳ３とが重なって出力される期間に、垂直走査制御端子ＣＮＴ１とＣＮＴ２から信号を同相で与えることで、出力回路３２からの出力Ｇ２とＧ３とを同時に駆動することができる。
【００８８】
図１９に走査信号線の２ｎ−１ラインと２ｎラインとを同時駆動し、２ｎライン目を間引き、その後２ｎラインと２ｎ＋１ラインとを同時駆動する駆動方法を示す。クロックＶＣＬＫ１を２ｎライン目の終わりで反転し、クロックＶＣＬＫ１の立ち上がりを１周期分遅らせることで、出力ＧＳ２ｎのＨレベルの期間が、クロックＶＣＬＫ１の２周期近くになり、垂直走査制御端子ＣＮＴ１とＣＮＴ２から信号を同相で与えて垂直走査制御部３３で演算させることで、出力Ｇ２ｎを２回出力させ、２本同時駆動している走査信号線の２ｎライン目を間引くことができる。
【００８９】
図２０に走査信号線の２ｎ−１ラインと２ｎ−２ラインとを同時駆動し、２ｎ−１ライン目を間引き、その後２ｎラインと２ｎ−１ラインとを同時駆動する駆動方法を示す。
【００９０】
図２１（ａ）は、図４（ｂ）に示すラッチ回路６７、６８に負荷駆動能力を向上させ、シフトレジスタの動作を高速にするためのバッファ用インバータを設けたものである。ラッチ回路６７、６８をクロックドインバータ６３〜６６で構成するとともに、バッファ用インバータ６０１を挿入している。バッファ用インバータ６０１はクロックドインバータとクロックドインバータとの間に挿入されているため、各クロックドインバータの負荷駆動能力不足を補い、高速駆動が可能なシフトレジスタを形成することが可能となる。
【００９１】
次に図２１（ｂ）を用いて図２１（ａ）の動作を説明する。図２１（ｂ）に示すラッチ回路６７は、クロックドインバータ６５の出力がインバータ６０１ａの入力に接続され、インバータ６０１ａの出力がインバータ６３ａの入力に接続され、このインバータ６３ａの出力はインバータ６０１ｂを介してクロックドインバータ６６の入力に接続している。
【００９２】
クロックドインバータ６５に入力された信号は３回反転され、インバータ６３ａから出力されるため、クロック信号ΦのＨレベル立ち上がり時にクロックドインバータ６５に入力された信号はインバータ６３ａから反転され出力される。次にクロック信号ΦバーがＨレベルとなると、クロックドインバータ６５はハイインピーダンスとなるがクロックドインバータ６６がインバータとして働き、インバータ６３ａの出力は２回反転してクロックドインバータ６６から出力される。ここで、クロック信号ΦバーがＨレベルとなる前のクロックドインバータ６５の出力と、クロック信号ΦバーがＨレベルとなった後のクロックドインバータ６６の出力が同じ値となるため、クロック信号ΦバーがＨレベルとなる前のクロックドインバータ６５の入力はラッチされ、インバータ６３ａから反転信号が出力する。
【００９３】
またラッチ回路６８でも同様な動作となり、入力の値がラッチされ、インバータ６３ａから反転信号が出力する。このようにバッファ用インバータ６０１を追加することで、双方向シフトレジスタＨＳＲ、ＶＳＲは負荷駆動能力不足が補われ、高速駆動が可能となる。
【００９４】
図２２は本発明の液晶表示装置を適用した液晶プロジェクタを説明する光学系の模式図であって、２２０は光源、２２１は放物面鏡、２２２はコンデンサレンズ、２２３は反射鏡、２２４は第１の絞り、２２５はレンズ、２２６はダイクロイックプリズム、２２７Ｒは赤色用反射型液晶表示装置、２２７Ｇは緑色用反射型液晶表示装置、２２７Ｂは青色用反射型液晶表示装置、２２８は第２の絞り、２２９は投射レンズ、２３０はスクリーンである。本実施の形態では、緑色用反射型液晶表示装置２２７Ｇを逆方向走査することとなる。
【００９５】
図２３は本発明による液晶表示装置を反射型液晶表示装置に適用した場合を説明する展開斜視図であって、７１４は液晶パネル、７０１は透明基板、７０２はシリコン基板で画素電極等と共に画素電極を駆動する駆動回路が設けられ、上述した水平シフトレジスタ部２０、垂直シフトレジスタ部３０が形成されている。透明基板７０１とシリコン基板７０２の間には図示しないが液晶層が設けられている。７０７はパッケージ、７０９は液晶パネル７１４に給電するためのフレキシブルプリント基板、７１３は遮光枠、７１２はフレキシブルプリント基板押さえ、７１０は液晶パネル７１４の熱を外部に逃がす放熱シート、７１１はパッケージ７０７の底部に設けられた放熱板である。
【００９６】
図２４は本発明を反射型液晶表示装置の一つであるポリマー分散型液晶（ＰＤＬＣ）に適用した場合の、液晶表示装置の液晶層を示す概略構成図である。液晶層は高分子マトリクス７０３中に液晶７３９を分散したポリマー分散型液晶（ＰＤＬＣ）で、印加電圧に応じて光を散乱する状態から透過する状態に変化する。図２３（ａ）に本液晶プロジェクタに用いられる液晶表示装置で光が散乱する様子を示し、図２４（ｂ）に反射する様子を示す。第２の基板７０２には反射画素電極７３８、第１の基板７０１には透明電極７３０が形成されている。
【００９７】
図２４（ａ）に示すように第２の基板７０２の反射画素電極７３８と第１の基板７０１の透明電極７３０との間に電圧を印加してない状態では、液晶７３９はそれぞれ不規則な方向に配列している。この状態では高分子マトリクス７０３と液晶分子とに屈折率の差が生じ、入射光７４１は散乱する、７４２は散乱光を示す。図２４（ｂ）に示すように第２の基板７０２の反射画素電極７３８と第１の基板７０１の透明電極７３０との間に電圧を印加した状態では、液晶７３９が一定方向に配向する。この液晶７３９が一定方向に配向したときの屈折率と高分子マトリクス７０３の屈折率を合わせておくと、入射光７４１は散乱せず反射画素電極７３８で正反射する、なお７４３は反射光を示す。
【図面の簡単な説明】
【００９８】
【図１】本発明による液晶表示装置を説明する概略ブロック図である。
【図２】本発明による液晶表示装置を説明する概略回路図である。
【図３】本発明による液晶表示装置を説明する概略回路図である。
【図４】本発明による液晶表示装置を説明する概略回路図である。
【図５】本発明による液晶表示装置に用いられるクロックドインバータを説明する概略回路図である。
【図６】本発明による液晶表示装置の動作を説明する概略タイミングチャートである。
【図７】本発明による液晶表示装置の動作を説明する概略タイミングチャートである。
【図８】本発明による液晶表示装置の動作を説明する概略回路図と概略タイミングチャートである。
【図９】本発明による液晶表示装置の動作を説明する概略回路図と概略タイミングチャートである。
【図１０】本発明による液晶表示装置の動作を説明する概略回路図と概略タイミングチャートである。
【図１１】本発明による液晶表示装置の信号切替え回路を説明する概略回路図である。
【図１２】本発明による液晶表示装置の映像信号供給回路を説明する概略回路図である。
【図１３】本発明による液晶表示装置の映像信号供給回路の動作を説明する概略タイミングチャートである。
【図１４】本発明による液晶表示装置の動作を説明する概略タイミングチャートである。
【図１５】本発明による液晶表示装置の動作を説明する概略タイミングチャートである。
【図１６】本発明による液晶表示装置の動作を説明する概略タイミングチャートである。
【図１７】本発明による液晶表示装置の動作を説明する概略タイミングチャートである。
【図１８】本発明による液晶表示装置の動作を説明する概略タイミングチャートである。
【図１９】本発明による液晶表示装置の動作を説明する概略タイミングチャートである。
【図２０】本発明による液晶表示装置の動作を説明する概略タイミングチャートである。
【図２１】本発明による液晶表示装置のラッチ回路を説明する概略回路図である。
【図２２】本発明の液晶表示装置を適用した液晶プロジェクタを説明する光学系の模式図である。
【図２３】本発明による液晶表示装置を反射型液晶表示装置に適用した場合を説明する展開斜視図である。
【図２４】本発明をＰＤＬＣに適用した場合の、液晶表示装置の液晶層を示す概略構成図である。
【図２５】３板方式の液晶プロジェクタ光学系を説明する概略構成図である。
【符号の説明】
【００９９】
１０…画素領域、１１…映像信号線、１２…走査信号線、１３…スイッチング素子、１４…画素電極、１５…対向電極、１６…保持容量、２０…水平シフトレジスタ部、２１…映像信号供給回路、２２…映像信号入力線、２３…映像信号切替回路、２４…映像信号入力端子、２５…水平走査リセット信号入力端子、２６…水平走査スタート信号入力端子、２７…水平走査終了信号出力端子、３０…垂直シフトレジスタ部、３２…垂直出力回路で、３３…垂直走査制御回路、３６…垂直走査リセット端子、３７…垂直走査スタート信号入力端子、３８…垂直走査終了信号出力端子、６１、６２、６３、６４、６５、６６…クロックドインバータ、６７、６８…ラッチ回路、７１、７２…Ｐ型トランジスタ、７３、７４…Ｎ型トランジスタ、ＨＳＲ、ＶＳＲ…双方向シフトレジスタ、ＨＣＬＫ１、ＨＣＬＫ２、ＶＣＬＫ１、ＶＣＬＫ２、Φ、Φバー…クロック信号線、ＲＬ…水平走査方向設定信号線、ＲＬ１…第１水平方向設定線、ＲＬ２…第２水平方向設定線、ＵＤ…垂直走査方向設定線、ＵＤ１…第１垂直方向設定線、ＵＤ２…第２垂直方向設定線、ＣＮＴ１、ＣＮＴ２…制御信号入力端子、ＤＩ…入力信号、ＯＵＴ…出力、２２０…光源、２２１…放物面鏡、２２２…コンデンサレンズ、２２３…反射鏡、２２４…第１の絞り、２２５…レンズ、２２６…ダイクロイックプリズム、２２７Ｒ…赤色用反射型液晶表示装置、２２７Ｇ…緑色用反射型液晶表示装置、２２７Ｂ…青色用反射型液晶表示装置、２２８…第２の絞り、２２９…投射レンズ、２３０…スクリーン、７１４…液晶パネル、７０１…透明基板、７０２…シリコン基板、７０７…パッケージ、７０９…フレキシブルプリント基板、７１３…遮光枠、７１２…フレキシブルプリント基板押さえ、７１０…放熱シート、７１１…放熱板。
【図１】
2005202422.tif 000004
【図２】
2005202422.tif 000005
【図３】
2005202422.tif 000006
【図４】
2005202422.tif 000007
【図５】
2005202422.tif 000008
【図６】
2005202422.tif 000009
【図７】
2005202422.tif 000010
【図８】
2005202422.tif 000011
【図９】
2005202422.tif 000012
【図１０】
2005202422.tif 000013
【図１１】
2005202422.tif 000014
【図１２】
2005202422.tif 000015
【図１３】
2005202422.tif 000016
【図１４】
2005202422.tif 000017
【図１５】
2005202422.tif 000018
【図１６】
2005202422.tif 000019
【図１７】
2005202422.tif 000020
【図１８】
2005202422.tif 000021
【図１９】
2005202422.tif 000022
【図２０】
2005202422.tif 000023
【図２１】
2005202422.tif 000024
【図２２】
2005202422.tif 000025
【図２３】
2005202422.tif 000026
【図２４】
2005202422.tif 000027
【図２５】
2005202422.tif 000028